(57)【特許請求の範囲】
【請求項１】
前面に開口する陳列室内に商品陳列用の複数段の棚を設けて成るオープンショーケースにおいて、
前記複数段の棚のうちの特定の棚上の空間が前方に開放した状態と、少なくとも前記商品の取り出しが不能となるよう当該棚上の空間前部が閉じた状態とに変更可能なカバーと、該カバーにより前記棚上の空間前部が閉じられた状態から開放された状態への変更を不能とする施錠装置と、前記陳列室の開口上縁に形成された冷気吐出口と、前記陳列室の開口下縁に形成された冷気吸込口とを備え、
前記冷気吐出口から冷気を吐出し、前記冷気吸込口から吸い込むことにより、前記開口に冷気エアーカーテンを形成すると共に、前記カバーが前記棚上の空間前部を閉じた状態で、前記冷気エアーカーテンの全て、若しくは、一部が当該カバーの前面に沿って流下することを特徴とするオープンショーケース。
【請求項２】
前記カバーの上部は後方に傾斜していることを特徴とする請求項１に記載のオープンショーケース。
【請求項３】
前記カバーは、最上段の前記棚の前端部に取り付けられると共に、当該カバーの上端は、前記冷気吐出口、若しくは、その後方に指向することを特徴とする請求項１又は請求項２に記載のオープンショーケース。
【請求項４】
前記カバーは、前記棚の前端部に取り付けられると共に、前記施錠装置は、前記棚に係脱自在に係合し、施錠された状態で当該棚からの前記カバーの取り外しを禁止することを特徴とする請求項１乃至請求項３のうちの何れかに記載のオープンショーケース。
【請求項５】
前記棚は、引き出し自在の可動棚であり、該棚には当該棚の前方への移動を許容及び規制するためのストッパーが設けられ、前記カバーは当該ストッパーの動作を禁止することを特徴とする請求項４に記載のオープンショーケース。
【請求項６】
前記棚は、引き出し自在の可動棚であり、該棚の前部には当該棚の前方への移動を許容及び規制するためのストッパーの操作部が設けられ、前記カバーは当該操作部を前方から覆うことを特徴とする請求項４に記載のオープンショーケース。
【発明の詳細な説明】
【技術分野】
【０００１】
本発明は、前面に開口する貯蔵室内に棚を設けて成るオープンショーケースに関するものである。
【背景技術】
【０００２】
従来よりこの種オープンショーケースは、例えば特許文献１に示される如く、前面に開口する断面略コ字状の断熱壁内を仕切板にて仕切り、この仕切板の前側を貯蔵室とし、後側をダクトとしている。そして、前記貯蔵室内には商品を陳列するための棚装置を複数段架設すると共に、ダクト内には冷却器と送風機を設置し、この冷却器により冷却された冷気を送風機にて前記開口上縁の冷気吐出口から吐出し、開口下縁の冷気吸込口から吸い込む。これによって、開口に冷気エアーカーテンを形成しつつ、一部を貯蔵室内に循環させて、各棚上の商品を冷却する方式とされていた。
【先行技術文献】
【特許文献】
【０００３】
【特許文献１】特開平１１−２４１８８０号公報
【発明の概要】
【発明が解決しようとする課題】
【０００４】
複数段架設された棚には、それぞれ商品が陳列されることとなるが、商品によっては、その販売形態などによりその販売が制限される場合がある。例えば、医薬品などの場合、薬事法によりその販売時間帯などが制限される場合がある。販売が制限された商品が、当該制限がない商品と同一のショーケースにおいて陳列されていると、どの商品が販売制限されているが否かが不明瞭となり、個別に販売制限がある旨の表示等を行っても、その陳列形態が複雑化する。これにより、顧客はその販売制限がある商品であるにもかかわらず、商品を陳列棚から取り出してしまう不都合が生じる。
【０００５】
商品の販売制限の条件に該当する度に該当商品を当該棚から搬出する作業を行うことが考えられるが、係る作業は煩雑となる。また、当該商品を搬出した後も販売制限の条件解除後における販売に供すべく、別置きの設備において所定温度に冷却しておく必要がある。
【０００６】
そこで、特定の商品が陳列された棚の前面を閉塞するカバーを着脱自在に設けたオープンショーケースが開発されている。この場合、棚上の空間前部を前方に開放した状態と、閉じた状態とに変更可能とするカバーを棚の前端部に設けられたプライスカードを取り付けるための溝などに差し込みことで設けていた。
【０００７】
しかしながら、かかる構成では、顧客が故意にカバーを取り外してしまい、販売を制限したい商品が取り出されてしまう問題がある。また、当該カバーが設けられる棚を引出自在の可動棚により構成することで、陳列室内に収納された状態では、カバーの上端が直ぐ上の棚下面に近接若しくは、陳列室の前面開口上縁に近接することで当該カバーの取り外しを不能とし、棚が引き出された状態で、カバーを取り外し可能としている。この場合、顧客が故意に可動棚を引き出してしまうとカバーが設けられていても、当該棚上に陳列収納された商品が取出可能となってしまう。
【０００８】
そのため、より厳格な商品の販売規制を容易に実現することができるオープンショーケースが開発が望まれていた。
【０００９】
本発明は、従来の技術的課題を解決するためになされたものであり、棚上に商品を陳列したままで、簡素な構成にて特定の商品の販売制限等を円滑に、且つ、厳格に行うことを可能とするオープンショーケースを提供する。
【課題を解決するための手段】
【００１０】
上記課題を解決するために、本発明のオープンショーケースは、前面に開口する陳列室内に商品陳列用の複数段の棚を設けて成るものであって、複数段の棚のうちの特定の棚上の空間が前方に開放した状態と、少なくとも商品の取り出しが不能となるよう当該棚上の空間前部が閉じた状態とに変更可能なカバーと、このカバーにより棚上の空間前部が閉じられた状態から開放された状態への変更を不能とする施錠装置と、陳列室の開口上縁に形成された冷気吐出口と、陳列室の開口下縁に形成された冷気吸込口とを備え、冷気吐出口から冷気を吐出し、冷気吸込口から吸い込むことにより、開口に冷気エアーカーテンを形成すると共に、カバーが棚上の空間前部を閉じた状態で、冷気エアーカーテンの全て、若しくは、一部が当該カバーの前面に沿って流下することを特徴とする。
【００１１】
請求項２の発明は、上記において、カバーの上部は後方に傾斜していることを特徴とする。
【００１２】
請求項３の発明は、上記各発明において、カバーは、最上段の棚の前端部に取り付けられると共に、このカバーの上端は、冷気吐出口、若しくは、その後方に指向することを特徴とする。
【００１３】
請求項４の発明は、上記各発明において、カバーは、棚の前端部に取り付けられると共に、施錠装置は、棚に係脱自在に係合し、施錠された状態でこの棚からのカバーの取り外しを禁止することを特徴とする。
【００１４】
請求項５の発明は、上記において、棚は、引き出し自在の可動棚であり、この棚には当該棚の前方への移動を許容及び規制するためのストッパーが設けられ、カバーは当該ストッパーの動作を禁止することを特徴とする。
【００１５】
請求項６の発明は、前記請求項４の発明において、棚は、引き出し自在の可動棚であり、この棚の前部には当該棚の前方への移動を許容及び規制するためのストッパーの操作部が設けられ、カバーは当該操作部を前方から覆うことを特徴とする。
【発明の効果】
【００１６】
本発明によれば、前面に開口する陳列室内に商品陳列用の複数段の棚を設けて成るオープンショーケースにおいて、複数段の棚のうちの特定の棚上の空間が前方に開放した状態と、少なくとも商品の取り出しが不能となるよう当該棚上の空間前部が閉じた状態とに変更可能なカバーと、このカバーにより棚上の空間前部が閉じられた状態から開放された状態への変更を不能とする施錠装置とを設けたことにより、当該カバーにて特定の棚上の空間前部を閉じた状態とすることで、当該棚上の商品を取り出せないようにすることが可能となる。
【００１７】
これにより、例えば薬事法などにより販売形態が制限される商品であっても、当該商品が陳列される特定の棚上の空間前部をカバーにて閉じることにより、顧客が任意に当該商品を取り出して販売に供されてしまう不都合を未然に回避することが可能となる。
【００１８】
特に、本発明では、カバーにより棚上の空間前部が閉じられた状態から開放された状態への変更を不能とする施錠装置を備えているため、棚上の空間前部が閉じられた状態にて施錠装置にて施錠することにより、閉じた状態を厳格に維持することができ、顧客等により故意にカバーが取り外される等によって、当該前部が閉じられた状態の棚上から商品等が任意に取り出されてしまう不都合を確実に回避することができる。
【００１９】
また、陳列室の開口上縁に形成された冷気吐出口と、陳列室の開口下縁に形成された冷気吸込口とを備え、冷気吐出口から冷気を吐出し、冷気吸込口から吸い込むことにより、開口に冷気エアーカーテンを形成すると共に、カバーが棚上の空間前部を閉じた状態で、冷気エアーカーテンの全て、若しくは、一部が当該カバーの前面に沿って流下することにより、エアーカーテンによりカバー前面が冷却されることで、当該カバー前面に結露が生じてしまい、陳列室内を濡らしてしまう不都合を回避することができる。
【００２０】
また、冷気エアーカーテンの全て、若しくは、一部がコアンダー効果によってカバーの前面に沿って流下させることができ、冷気流の乱れにより、庫内温度が上昇してしまう不都合を回避することができる。
【００２１】
請求項２の発明によれば、上記に加えて、カバーの上部は後方に傾斜していることにより、エアーカーテンを形成する冷気を、後方に傾斜したカバーの上部前面に沿って円滑に流下させることができる。
【００２２】
請求項３の発明によれば、上記各発明に加えて、カバーは、最上段の棚の前端部に取り付けられると共に、このカバーの上端は、冷気吐出口、若しくは、その後方に指向することにより、当該カバーの上端の指向方向を調整することで、カバー後面の最上段の棚上の空間内に冷気を流入させるか否か、更には、カバー前面を流下する冷気エアーカーテンを形成する冷気量と、カバー後面に流下して最上段の棚上の空間内に流入する冷気量を調整することが可能となる。
【００２３】
請求項４の発明によれば、上記各発明において、カバーは、棚の前端部に取り付けられると共に、施錠装置は、棚に係脱自在に係合し、施錠された状態でこの棚からのカバーの取り外しを禁止することにより、簡素な構成にて、カバーが棚から取り外されて当該棚上の商品が取り出されてしまう不都合を回避することが可能となる。
【００２４】
請求項５の発明によれば、上記において、棚は、引き出し自在の可動棚であり、この棚には当該棚の前方への移動を許容及び規制するためのストッパーが設けられ、カバーは当該ストッパーの動作を禁止することにより、施錠装置にてカバーが棚から取り外し禁止の状態で、可動棚のストッパーが故意に操作されて、当該棚が前方に引き出されることで、当該棚上の商品が取り出されてしまう不都合を防止することが可能となる。
【００２５】
これにより、棚が引出自在の可動棚の場合であっても厳格な商品管理を実現することが可能となる。
【００２６】
請求項６の発明によれば、前記請求項４の発明において、棚は、引き出し自在の可動棚であり、この棚の前部には当該棚の前方への移動を許容及び規制するためのストッパーの操作部が設けられ、カバーは当該操作部を前方から覆うことにより、施錠装置にてカバーが棚から取り外し禁止の状態で、可動棚のストッパーが故意に操作されて、当該棚が前方に引き出されることで、当該棚上の商品が取り出されてしまう不都合を防止することが可能となる。これにより、棚が引出自在の可動棚の場合であっても厳格な商品管理を実現することが可能となる。
【００２７】
また、この場合、棚が陳列室内から引き出された状態で、施錠装置にてカバーが棚から取り外し禁止の状態とされ、その後、棚が陳列室内に収納される場合、ストッパーの操作部はカバーに干渉されない。そのため、当該棚上の商品陳列・補充作業性や施錠作業性の向上を図ることができる。
【図面の簡単な説明】
【００２８】
【図１】本発明の実施形態であるオープンショーケースの正面図である。
【図２】図１のオープンショーケースの右側面図である。
【図３】図１の上部拡大縦断側面図である。
【図４】カバーが取り付けられた棚の斜視図である。
【図５】図４の下方斜視図である。
【図６】図４の側方斜視図（解錠状態）である。
【図７】図４の側方斜視図（施錠状態）である。
【図８】図４の縦断側面図である。
【発明を実施するための形態】
【００２９】
以下、図面に基づき本発明の実施形態を詳述する。図１は本発明の実施形態であるオープンショーケース１の正面図、図２は図１のオープンショーケース１の縦断側面図、図３は図１のオープンショーケース１の上部拡大縦断側面図をそれぞれ示している。各図において、実施例のオープンショーケース１は、例えばコンビニエンスストアなどに設置されてドリンク類の陳列販売に供されるものであり、前面に開口する断面略コ字状の断熱壁６と、この断熱壁６の左右に取り付けられた側板７、７とから構成されている。
【００３０】
この断熱壁６の内側には仕切板（インテリアリア）８が取り付けられ、その前側を前面に開口する貯蔵室９とし、仕切板８と断熱壁６間をダクト１１としている。断熱壁６の天壁６Ａは底壁６Ｂよりも奥側で終了しており、天壁６Ａの前端下側、即ち、陳列室９の前面開口２の上縁に冷気吐出口１２が形成され、底壁６Ｂの前端上側、即ち、前面開口２の下縁に冷気吸込口１３が形成されて、それぞれダクト１１に連通している。
【００３１】
このダクト１１内には冷却装置の冷凍サイクルを構成する図示しない冷却器と送風機が設置され、断熱壁６の底壁６Ｂ下側に構成された機械室内には、前記冷却器と共に冷凍サイクルを構成する圧縮機、凝縮器及び凝縮器用送風機などが設置されている。
【００３２】
そして、貯蔵室９内の両側には上下に所定間隔で複数の係合孔１８が穿設された棚支柱１７、１７が取り付けられており、この棚支柱１７、１７間に渡って詳細は後述する商品陳列用の棚３が上下複数段に渡って架設されている。各棚３上の空間（商品陳列スペース）後方に対応する仕切板８には、左右に渡ってパンチングにより穿設された複数の冷気吹出孔１０が形成されている。尚、各冷気吹出孔１０は、上段の棚３に対応して形成されているものほど穿設数が少なく、下段の棚３に対応して形成されているものほど穿設数が多いものとされているまた、各冷気吹出孔１０は、それぞれダクト１１に連通している。
【００３３】
これにより、前記冷却装置の圧縮機とダクト１１内に配設された送風機が運転されると、ダクト１１内に配設された冷却器が冷却作用を発揮する。この冷却器にて冷却されたダクト１１内の冷気は、送風機にて吸い上げられて上方に吹き上げられ、やがて最上部の冷気吐出口１２から陳列室９内に吐出される。
【００３４】
本実施例では、冷気吐出口１２から陳列室９内に吐出される冷気の風向を調整する風向板３４（図３参照）が冷気吐出口１２に形成されている。この風向板３４は、前下方に向けて傾斜して設けられており、冷気吐出口１２から吐出される冷気は、陳列室９の前下部に向けて指向される。これにより、陳列室９の前面開口２の上縁に形成された冷気吐出口１２から吐出された冷気は、前面開口２の下縁に形成された冷気吸込口１３に吸い込まれることにより、陳列室９の前面開口２には、冷気エアーカーテンが形成される。
【００３５】
また、仕切板８には、ダクト１１内と陳列室９内とを連通する冷気吹出孔１０が複数形成されているため、各冷気吹出孔１０を介して、陳列室９内に架設された各棚３上の空間には、後方から冷気が吹き出される。尚、仕切板８に穿設される冷気吹出孔の数により各棚３上方への冷気吹出量を調整しても良いが、これに限定されるものではなく、形成される冷気吹出孔１０の穿設面積によって調整しても良い。
【００３６】
そして、陳列室９内に吐出或いは吹き出された冷気は、最終的に冷気吸込口１３からダクト１１内に帰還する循環を行う。これにより、陳列室９内は、所定の温度に冷却される。
【００３７】
次に、図４乃至図８を参照してカバー５０が着脱自在に取り付けられる棚３について詳述する。図４はカバー５０が取り付けられた棚３の斜視図、図５は図４の下方斜視図、図６は図４の側方斜視図（解錠状態）、図７は図４の側方斜視図（施錠状態）、図８は図４の縦断側面図をそれぞれ示している。
【００３８】
棚３は、後端に上下所定間隔を有して後方に突出する鉤状の複数の係合爪２２Ａ・・を有して前方に延在する左右一対のブラケット２２、２２と、このブラケット２２の内側に前後摺動自在に取り付けたレール部材２３と、このレール部材２３に摺動自在に係合支持された可動棚２４とから構成されている。
【００３９】
ブラケット２２の前部には左右に渡ってブラケット２２、２２を相互に連結する取付金具２６がネジ止めされており、後端の係合爪２２Ａ・・をそれぞれ左右の棚支柱１７の係合孔１８に挿入係合することにより着脱自在に棚支柱１７に保持される。前記取付金具２６には係合板２７がネジ止めにより固定されている。この係合板２７の前側には、その上面が後方に高く傾斜した傾斜面２７Ａが形成され、この傾斜面２７Ａの後側に連続して係合部２７Ｂが形成されている。
【００４０】
可動棚２４は周囲に商品落下防止用のフランジ２８を有した鋼板にて構成され、下面ほぼ中央には左右に渡って補強金具２９が溶接固定されている。本実施例では、補強金具２９は、下方に向けて突出して形成されており、その下面両端には、弾力性を有したステンレス板にて構成されたストッパー３０がそれぞれ固定されている。
【００４１】
各ストッパー３０は、後端を補強金具２９にネジ止めされて前方に延在し、その先端には下方に折曲した係止部３０Ａと、この係止部３０Ａの前端にそれに連続して前方に高く傾斜した案内部３０Ｂが形成されている。更に、その案内部３０Ｂの前端は前方に略水平に延在した後、その前端が一旦下方に向けて折曲され、その端部が後方に折曲されて形成される操作部３０Ｃが形成されている。
【００４２】
このストッパー３０の係止部３０Ａは、可動棚２４が陳列室９内の所定位置に収納されている状態（図５や図８の状態）で係合板２７の係合部２７Ｂに係合しており、それによって可動棚２４はブラケット２２に対して移動不能とされ、非係合状態では前記レール部材２３によりブラケット２２に対して所定範囲内で前後方向に摺動可能とされる。
【００４３】
そのため、可動棚２４を陳列室９内から引き出す場合には、可動棚２４の下面に設けられたストッパー３０の操作部３０Ｃを持ち上げることにより、その弾性により上方に変形させ、係合部３０Ａとブラケット２２に設けられた係合板２７の係合部２７Ｂとの係合を解除させ、可動棚２４の前方への移動が許容される。そして、レール部材２３によりブラケット２２に対して可動棚２４を前方に摺動させる。
【００４４】
そして、可動棚２４を陳列室９内に収納する場合には、当該可動棚２４を後方に押し込み、その際の押し込み力によって、可動棚２４側のストッパー３０の係合部３０Ａがブラケット２２の係合板２７の傾斜面２７Ａに沿って後方に押し上げられた後、当該傾斜面２７Ａの後側に連続して形成される係合部２７Ｂに落ち込み、ストッパー３０の係合部３０Ａと当該係合部２７Ｂとの係合によって、可動棚２４の前方への移動が規制される。
【００４５】
また、この可動棚２４の前端は、上方に向けて略直角にフランジ２８が折曲形成され、その上端は、再度、可動棚２４上方に位置する後方（仕切板８方向）に略直角に折曲されてガード４１が形成される。そして、このガード４１には、詳細は後述する施錠装置４５の係合ピン（係合部）４６が挿入係合される係合孔４２が貫通形成されている。
【００４６】
そして、この可動棚２４の前端には、左右に渡って断面略Ｌ字状の固定板４３が設けられる。この固定板４３は、前壁４３Ａが可動棚２４の前端と所定の間隔を存するように、その下壁４３Ｂが可動棚２４の下面前端部に固定される。この固定板４３の前壁４３Ａには、カバー５０が取り付けられていない状態で、棚飾り３５が左右に渡って取り付け可能とされる。図１及び図２では、最上段の棚３を除く棚前端部に取り付けられている。
【００４７】
この棚飾り３５は内部を透視可能とする透明材料にて構成されており、後面には下方に開口した係止部が形成され、当該係止部の前面には、上方に開口した溝が形成されている。これにより、固定板４３の前壁４３Ａに、下方に開口して形成される係止部を、上方から覆い被せることにより、当該前壁４３Ａが挿入係合され、当該棚飾り３５が可動棚２４に着脱自在に取り付けられる。そして、この棚飾り３５の溝は、上方に開口し、内部にプライスカードを挿入して取り付けるための溝として用いられる。
【００４８】
一方、当該棚３の前端には、対応する棚３上の空間が前方に開放した状態と、当該空間前部が閉じた状態とに変更可能なカバー５０が着脱自在に取付可能とされる。当該カバー５０は、板状部材にて構成されており、棚前端の左右方向に延在し、且つ、当該棚３上の空間を前方に位置して上下に延在して構成される。
【００４９】
本実施例では、カバー５０が棚前端に取り付けられた状態で、高さ寸法は、当該棚３の直ぐ上の棚３の下端に近接、又は、当接、若しくは、当該棚３が最上段の棚である場合には、冷気吐出口１２、若しくは、その後方に近接する寸法とする。
【００５０】
即ち、カバー５０は、棚３に取り付けられた状態で、上端と直ぐ上の棚３との間隔、若しくは、前面開口２上縁との間隔は、少なくとも当該棚３に陳列される商品Ｓの幅寸法よりも小さい寸法に形成され、当該カバー５０にて棚３上の空間前部が閉じられた状態で棚３上の商品Ｓを外部に取り出し不能とする寸法とされる。
【００５１】
また、当該カバー５０の両端と側板７との間隔も、少なくとも当該棚３に陳列される商品Ｓの幅寸法よりも小さい寸法に形成され、当該カバー５０にて棚３上の空間前部が閉じられた状態で棚３上の商品Ｓを外部に取り出し不能とする寸法とされる。
【００５２】
このカバー５０の下端は、上記ストッパー３０の操作部３０Ｃに対応する位置を除き、略直角に後方に折曲して下フランジ５１が形成される。この下フランジ５１は、棚３の前端部下面、本実施例では、棚前端部に設けられる固定板４３の下壁４３Ｂの下面に当接する。
【００５３】
また、このカバー５０の後面には、断面略Ｌ字状の保持部材５２の前壁が溶接又はネジ止めなどによって固定されている。この保持部材５２の上壁５２Ａは、カバー５０の下フランジ５１と所定の間隔を存して配置される。当該間隔は、棚３の前端部が略きっちりと収納可能な寸法とされる。そして、この保持部材５２の上壁５２Ａには、棚前端部に構成されるガード４１に形成された係合孔４２と重合する位置に、施錠装置４５の係合ピン（係合部）４６が挿脱自在とされる切欠５３が形成されている。
【００５４】
そして、カバー５０には保持部材５２の上側に位置して施錠装置４５が設けられる。本実施例では、当該施錠装置４５は、所謂シリンダー錠により構成されており、鍵挿入口４５Ａがカバー５０の前面に臨んで配設され、図示しない鍵の挿入、回動操作によって回動自在とされる係合ピン（係合部）４６が棚３前端部上方に配設される。
【００５５】
これにより、棚３の前端部にカバー５０が前方から差し込まれ、カバー５０の下フランジ５１が固定板４３の下壁４３Ａ下面に、カバー５０の上壁５２Ａが棚３のガード４１上面に、更には、カバー５０の後面が固定板４３の前壁４３Ａに当接した状態で、棚３前端部にカバー５０が着脱自在に取り付けられる。
【００５６】
この状態で、カバー５０に取り付けられた施錠装置４５の係合ピン４６は、棚３のガード４１に形成された係合孔４２上に位置する。これにより、施錠装置４５が鍵の挿入、回動操作によって係合ピン４６が回動されて、ガード４１の係合孔４２に係脱自在に係合される。係合ピン４６が係合孔４２に係合した状態が施錠状態（図７）となり、非係合状態が解錠状態（図６）となる。
【００５７】
また、本実施例では、ストッパー３０の操作部３０Ｃに対応する位置におけるカバー５０の下端、この場合、カバー５０の両側部の下端には、上記下フランジ５１よりも下方に延在した後、棚３に設けられるストッパー３０の操作部３０Ｃの下側に対応する位置にて後方に略直角に折曲して操作カバー部５５、５５が形成される。
【００５８】
この操作カバー部５５は、ストッパー３０の操作部３０Ｃの下側に対応する位置まで延在して構成されている。これにより、ストッパー３０の操作部３０Ｃは、この操作カバー部５５によって前側及び下側から覆われて、その操作が規制される。
【００５９】
更に、本実施例では、図３に示すように最上段の棚３に取り付けられる当該カバー５０の上部は、後方向けて所定角度傾斜して形成された傾斜面５０Ａとされる。この傾斜面５０Ａの上端５０Ｂは、冷気吐出口１２の後部に指向されている。尚、当該傾斜面５０Ａの上端部５０Ｂの指向角度は、これに限定されるものではなく、冷気吐出口１２の後方に指向させても良い。
【００６０】
即ち、当該カバー５０の上端５０Ｂを冷気吐出口１２の後方に指向させた場合、カバー５０の後方に位置する最上段の棚３上の空間９Ａ内に冷気吐出口１２から吐出される冷気が入る量を略零とすることができる。また、カバー５０の上端５０Ｂを冷気吐出口１２に指向させる角度をより前方に調整することで、最上段の棚３上の空間９Ａ内に冷気吐出口１２から吐出される冷気量を増加させることができ、他方、角度をより後方に調整することで、当該空間９Ａ内に吐出される冷気量を減少させることができる。
【００６１】
以上の構成により、医薬品などの薬事法によりその販売時間帯などが制限された商品Ｓが特定の棚３上、本実施例では、最上段の棚３に陳列された場合について説明する。この場合、当該商品Ｓの販売が可能な時間帯には、他の棚３と同様に、当該最上段の棚３上の空間９Ａが前方に開放した状態とする。これにより、顧客による任意な商品選択及び取出が可能となる。
【００６２】
他方、当該商品Ｓの販売に制限が課される時間帯では、先ず、当該商品Ｓが陳列された特定の棚３、この場合最上段の棚３の前端部に上述したようにカバー５０を取り付ける。この際、下フランジ５１と保持部材５２の上壁５２Ａ間に棚３の前端部を前方から挿入係合して取り付ける。
【００６３】
そして、カバー５０に設けられた施錠装置４５の鍵を回動させることにより、係合ピン４６が回動し、棚３側に設けられた係合孔４２に係合して施錠状態となる。これにより、カバー５０は、棚前端部に取り付けられた状態で、前方への移動が係合ピン４６と棚３側の係合孔４２との係合によって規制されるため、棚３からのカバー５０の取り外しが禁止される。
【００６４】
陳列室９内に可動棚２４が収納された状態では、カバー５０は、棚３に固定されて、その上端が冷気吐出口１２（前面開口２上縁）に近接して設けられる。これにより、当該最上段の棚３上の空間９Ａ前部がカバー５０によって閉じられた状態とされ、当該棚３上に陳列された販売制限がなされた商品Ｓが取り出せないようにすることができる。
【００６５】
そのため、一例として薬事法などにより販売形態が制限される商品Ｓであっても、当該商品Ｓが陳列される特定の棚３、この場合最上段の棚３上の空間９Ａ前部をカバー５０にて閉じることにより、顧客が任意に当該商品Ｓを取り出し販売に供されてしまう不都合を未然に回避することが可能となる。これにより、当該商品Ｓに応じた適切な陳列販売形態を実現することができる。
【００６６】
これにより、最上段の棚３に限らず、前端部に係合孔４２を有するガード４１を有する特定の棚３上の空間前部をカバー５０にて選択的に閉じた状態とすることが可能となる。そのため、商品Ｓの陳列パターンに制限されることなく、特定の棚３上の空間のみをカバー５０にて選択的に閉じた状態とでき、円滑、且つ適切な陳列販売を実現することができる。
【００６７】
特に、本実施例では、カバー５０により棚３上の空間９前部が閉じられた状態から開放された状態への変更を不能とする施錠装置４５を備えているため、棚３上の空間９Ａ前部が閉じられた状態にて施錠装置４５にて施錠することにより、閉じた状態を厳格に維持することができ、顧客等により故意にカバー５０が取り外される等によって、当該前部が閉じられた状態の棚３上から商品等が任意に取り出されてしまう不都合を確実に回避することができる。
【００６８】
棚３の前端部にカバー５０が取り付けられると共に、施錠装置４５は、棚３に係脱自在に係合し、施錠された状態でこの棚３からのカバー５０の取り外しを禁止する構成とされているため、簡素な構成にて、カバー５０が棚３から取り外されて当該棚上の商品が取り出されてしまう不都合を回避することが可能となる。尚、本実施例では、施錠装置４５をカバー５０側に設けているが、これに限定されるものではなく、各棚３側に施錠装置４５を設け、カバー５０の取り外しを禁止とする構成としても良い。
【００６９】
そして、棚３に取り付けられたカバー５０は、棚３の可動棚２４が陳列室９内に収納された状態では、当該可動棚２４の前方柄の移動を許容及び規制するためのストッパー３０の操作部３０Ｃは、カバー５０と一体に構成された操作カバー部５５にて前方や下方から覆われているため、施錠装置４５にてカバー５０が棚３から取り外し禁止の状態で、可動棚２４のストッパー３０が故意に操作されて、当該棚３が前方に引き出されることで、当該棚３上の商品が取り出されてしまう不都合を防止することが可能となる。これにより、本実施例の如く棚３が引出自在の可動棚２４の場合であっても厳格な商品管理を実現することが可能となる。
【００７０】
また、この場合、棚３が陳列室９内から引き出された状態で、施錠装置４５にてカバー５０が棚３から取り外し禁止の状態とされ、その後、棚３が陳列室９内に収納される場合、ストッパー３０の操作部３０Ｃはカバー５０の操作カバー部５５に干渉されない。そのため、当該棚３上の商品陳列・補充作業性や施錠作業性の向上を図ることができる。
【００７１】
尚、本実施例では、操作カバー部５５は、ストッパー３０の操作部３０Ｃを前方及び下方から覆うかたちで構成されているが、これに限定されるものではなく、例えば、ストッパー３０の動作、若しくは、操作を禁止するように、棚３の下面とストッパー３０の操作部３０Ｃとの間に操作カバー部５５を挿入して操作部３０Ｃの動作を禁止する構成としても良い。
【００７２】
これによっても、可動棚２４のストッパー３０が故意に操作されて、可動棚２４が前方に引き出されることで、当該棚３上の商品が取り出されてしまう不都合を防止することが可能となる。そのため、棚３が引出自在の可動棚２４の場合であっても厳格な商品管理を実現することが可能となる。
【００７３】
また、本実施例では、最上段の棚３の前端部に取り付けられたカバー５０は、その上端５０Ｂが冷気吐出口１２の後部に指向されて設けられている。そのため、陳列室９の開口２上縁に形成された冷気吐出口１２から開口２下縁に形成された冷気吸込口１３に向けて形成される冷気エアーカーテンの一部が当該最上段の棚３の前端部に設けられたカバー３０の前面に沿って流下することにより、エアーカーテンによりカバー５０前面が冷却されることで、当該カバー５０前面に結露が生じてしまい陳列室９内を濡らしてしまう不都合を回避することができる。
【００７４】
また、冷気エアーカーテンの一部をコアンダー効果によってカバー５０の前面に沿って流下させることができ、冷気流の乱れにより、庫内温度が上昇してしまう不都合を回避することができる。
【００７５】
特に、本実施例では、カバー５０の上部は後方に傾斜していることにより、エアーカーテンを形成する冷気を、後方に傾斜したカバーの上部前面（傾斜面５０Ａ）に沿って円滑に流下させることができる。
【００７６】
また、当該カバー５０の上端５０Ｂの冷気吐出口１２への指向角度を調整することによって、カバー５０前面を流下する冷気エアーカーテンを形成する冷気量と、カバー５０後面に流下して最上段の棚３上の空間９Ａ内に流入する冷気量を調整することが可能となる。これにより、当該空間９Ａ内に供給される冷気量を調整することができるため、係る空間９Ａの冷却温度調整を精度良く行うことができる。
【００７７】
また、当該カバー５０の上端５０Ｂを冷気吐出口１２後方に指向させることにより、冷気吐出口１２から吐出され冷気吸込口１３に吸い込まれて形成される冷気エアーカーテンの流れを分流させない構成とすることができる。これにより、冷気エアーカーテンの全てがカバー５０の前面に沿って流下することにより、カバー５０前面の結露発生を防止できる。
【００７８】
この場合、カバー５０後面の最上段の棚３上の空間９Ａ内には前方から冷気が供給されないこととなるが、本実施例では、陳列室９の後方に設けられる仕切板８には、パンチングにて複数冷気吹出孔１０が形成されているため、ダクト１１内と連通される冷気吹出孔１０より冷気の吹出供給が行われ、空間９Ａ内の円滑な冷却を行うことが可能となる。
【００７９】
尚、カバー５０にて棚３上の空間９Ａの前方が閉じられた状態から前方に開放した状態に変更する場合には、施錠装置４５に鍵を挿入し、回動させることで、係合ピン４６と棚３側の係合孔４２との係合を解除する。そして、カバー５０を棚前端部から前方に引き抜くことで、開放した状態に変更することが可能となる。
【符号の説明】
【００８０】
Ｓ    商品
１    オープンショーケース
２    前面開口
３    棚
９    陳列室
１１    ダクト
１２    冷気吐出口
１３    冷気吸込口
２４    可動棚
３０    ストッパー
３０Ａ  係止部
３０Ｂ  案内部
３０Ｃ  操作部
４１    ガード
４２    係合孔
４３    固定板
４３Ａ  前壁
４３Ｂ  下壁
４５    施錠装置
４６    係合ピン（係合部）
５０    カバー
５１    下フランジ
５２    保持部材
５２Ａ  上壁
５３    係合孔
５５    操作カバー部
【図１】
0005611616.tif 000002
【図２】
0005611616.tif 000003
【図３】
0005611616.tif 000004
【図４】
0005611616.tif 000005
【図５】
0005611616.tif 000006
【図６】
0005611616.tif 000007
【図７】
0005611616.tif 000008
【図８】
0005611616.tif 000009